(57)【要約】【課題】  専門的な採寸技術のないユーザでも簡単に取り扱え、サイズ測定装置及びサイズ測定システムを提供する。【解決手段】  サイズ測定システムは、ユーザの身体に装着してユーザの身体のサイズを測定し、当該測定したサイズ等を表すセンサ測定情報を出力するサイズ測定装置１０と、身体を測定するユーザが操作するユーザ端末２０と、及びアパレル系商品のサイズや形状の情報等を管理し、当該センサ測定情報に基づいてユーザの身体サイズの情報であるユーザサイズ情報や当該サイズに合った商品の情報である商品検索結果情報を提供する管理サーバ３０とを有して構成される。【選択図】        図１
2018141717.tif 000002
【特許請求の範囲】
【請求項１】
ユーザが装着することにより、該ユーザの装着した身体部分のサイズ及び形状を特定するサイズ測定装置であって、
電気的特性の変化に基づいて物理的変化量を測定する測定センサを有し、
前記測定センサは、ユーザの身体の形状に起因する基材の伸長の程度を測定することを特徴とするサイズ測定装置。
【請求項２】
前記サイズ測定装置は、衣服形状の本体部を有し、
前記測定センサは、伸縮可能な素材で構成され、前記本体部において格子状に配置されることを特徴とする請求項１記載のサイズ測定装置。
【請求項３】
前記サイズ測定装置は、衣服形状の本体部を有し、
前記測定センサは、伸縮可能な素材で構成され、前記本体部において衣服又は身体の寸法を計測する際に通常計測される任意の位置に配置されていることを特徴とする請求項１記載のサイズ測定装置。
【請求項４】
前記測定センサは、伸縮可能な帯状又はリング状に形成されることを特徴とする請求項１から３のいずれか１項に記載のサイズ測定装置。
【請求項５】
前記測定センサの一部を非伸縮素材からなる非伸縮部に置き換えて構成することを特徴とする請求項１から４のいずれか１項に記載のサイズ測定システム。
【請求項６】
前記測定センサは、
板状の一対の電極と、
前記一対の電極間に配置された誘電膜とを有し、
前記電極に張力が加えられ伸長すると、該電極の伸長に起因する静電容量の変化に基づいて、ユーザの身体の形状に起因した電極の伸長の程度を特定することを特徴とする請求項１から５のいずれか１項に記載のサイズ測定装置。
【請求項７】
前記測定センサは、
伸縮性を備えた板状の電極を有し、
前記電極に張力が加えられ伸長すると、該電極の伸長に起因する電気抵抗値の変化に基づいて、ユーザの身体の形状に起因した電極の伸長の程度を特定することを特徴とする請求項１から５のいずれか１項に記載のサイズ測定装置。
【請求項８】
前記請求項１から７のいずれか１項に記載のサイズ測定装置と、
前記測定センサにより測定された電気的特性の変化を表すデータを前記サイズ測定装置から取得するユーザ端末と、
前記電気的特性の変化を表すデータを前記ユーザ端末から取得し、該取得した電気的特性の変化を表すデータを物理的変化量を表すデータへ変換し、前記ユーザ端末に提供する管理サーバとを有することを特徴とするサイズ測定システム。
【請求項９】
前記請求項１から７のいずれか１項に記載のサイズ測定装置と、
前記ユーザが操作するユーザ端末と、
前記電気的特性の変化を表すデータを前記サイズ測定装置から取得し、該取得した電気的特性の変化を表すデータを物理的変化量を表すデータへ変換し、前記ユーザ端末に提供する管理サーバとを有することを特徴とするサイズ測定システム。
【請求項１０】
前記管理サーバは、アパレル系商品のサイズ及び形状を管理するデータベースを備え、前記物理的変化量を表すデータへの変換を行った後、前記データベースを参照し、前記物理的変化量を表すデータに合致した前記アパレル系商品を検索し、該検索結果を前記ユーザ端末へ送信することを特徴とする請求項８又は９記載のサイズ測定システム。
【請求項１１】
前記管理サーバは、前記アパレル系商品の検索結果を示す商品検索結果情報として、該アパレル系商品の購入用のＷｅｂページのＵＲＬを含む情報を前記ユーザ端末へ送信し、
前記ユーザ端末は、前記ＵＲＬを含む情報を用いて、前記アパレル系商品の購入用のＷｅｂページを取得することを特徴とする請求項１０記載のサイズ測定システム。
【発明の詳細な説明】
【技術分野】
【０００１】
本発明は、サイズ測定装置及びサイズ測定システムに関し、特に、ユーザの身体やその他物品に装着しその装着した部分のサイズ等を測定するサイズ測定装置及びサイズ測定システムに関する。
【背景技術】
【０００２】
日常生活においてユーザが商品を購入したり、何らかのサービスを受けたりするために、身体や物品のサイズを提示する必要に迫られることがある。
例えば、ユーザが衣服又は帽子等のアパレル系商品を購入する際には、ＳＭＬといったおおまかな自身の身体のサイズ情報を基準にアパレル系商品を購入することになるが、当該アパレル系商品は、販売するブランドやメーカーによっては同じサイズ表示（ＳＭＬ等）でも実際のサイズが異なっていることが多く、自身のサイズを正確に把握しておく必要がある。
【０００３】
上記のような身体や物品のサイズを把握しておくための従来技術の１つに、特許文献１が開示するところの身体計測用メジャーが提案されている。
特許文献１に開示される身体計測用メジャーは、屈曲自在なフレキシブルな巻き尺のゼロ目盛の端部にゼロ目盛基準板が固定され、巻き尺の中間には目盛読取板が巻き尺に対してスライド自在に取り付けられ、前記目盛読取板は中央部に巻き尺の目盛および数字を表示する目盛表示部が設けられ、前記目盛表示部に目盛読み取り基準線が設けられ、前記巻き尺は目盛表示部の左右に設けた通孔を通して目盛表示部の背面においてスライド自在となっており、前記ゼロ目盛基準板の表面および前記目盛読取板の裏面には、それぞれ所要部分に面ファスナーが取り付けられ、前記ゼロ目盛基準板と目盛読取板は両者を位置決めして重ね合わせたときに、ゼロ目盛基準板のゼロ目盛と目盛読取板の目盛読み取り基準線が合致するように両者の位置関係が設定されている。
上記特許文献１に開示される身体計測用メジャーを用いることにより、巻き尺をウエスト等の身体部位から外した状態で容易かつ確実に、しかも正確にウエストや胸などの身体部位のサイズを計測することができる。
【先行技術文献】
【特許文献】
【０００４】
【特許文献１】実登３１２７４９０号
【発明の概要】
【発明が解決しようとする課題】
【０００５】
しかしながら、上記特許文献１の身体計測用メジャーを用いた場合には、通常のメジャーよりは測定が容易となったかもしれないが、それでも測定する者によって測定値にバラつきが生じ、測定された身体のサイズの正確性に問題が生じるおそれがある。
【０００６】
本発明は、上記問題点に鑑みてなされたものであり、専門的な採寸技術のないユーザでも簡単に取り扱え、サイズ測定装置及びサイズ測定システムを提供することを目的とする。
【課題を解決するための手段】
【０００７】
かかる目的を達成するため、本発明は、ユーザが装着することにより、ユーザの装着した身体部分のサイズ及び形状を特定するサイズ測定装置であって、電気的特性の変化に基づいて物理的変化量を測定する測定センサを有し、測定センサは、ユーザの身体の形状に起因する基材の伸長の程度を測定することを特徴とする。
【０００８】
また、本発明におけるサイズ測定装置は、衣服形状の本体部を有し、測定センサは、伸縮可能な素材で構成され、本体部において格子状に配置されることを特徴とする。
【０００９】
また、本発明におけるサイズ測定装置は、衣服形状の本体部を有し、測定センサは、伸縮可能な素材で構成され、本体部において衣服又は身体の寸法を計測する際に通常計測される任意の位置に配置されていることを特徴とする。
【００１０】
また、本発明におけるサイズ測定装置によれば、測定センサは、伸縮可能な帯状又はリング状に形成されることを特徴とする。
【００１１】
また、本発明におけるサイズ測定装置によれば、測定センサの一部を非伸縮素材からなる非伸縮部に置き換えて構成することを特徴とする。
【００１２】
また、本発明におけるサイズ測定装置によれば、測定センサは、板状の一対の電極と、一対の電極間に配置された誘電膜とを有し、電極に張力が加えられ伸長すると、電極の伸長に起因する静電容量の変化に基づいて、ユーザの身体の形状に起因した電極の伸長の程度を特定することを特徴とする。
【００１３】
また、本発明におけるサイズ測定装置によれば、測定センサは、伸縮性を備えた板状の電極を有し、電極に張力が加えられ伸長すると、電極の伸長に起因する電気抵抗値の変化に基づいて、ユーザの身体の形状に起因した電極の伸長の程度を特定することを特徴とする。
【００１４】
また、本発明におけるサイズ測定システムは、上記のサイズ測定装置と、測定センサにより測定された電気的特性の変化を表すデータをサイズ測定装置から取得するユーザ端末と、電気的特性の変化を表すデータをユーザ端末から取得し、取得した電気的特性の変化を表すデータを物理的変化量を表すデータへ変換し、ユーザ端末に提供する管理サーバとを有することを特徴とする。
【００１５】
また、本発明におけるサイズ測定システムは、上記のサイズ測定装置と、ユーザが操作するユーザ端末と、電気的特性の変化を表すデータをサイズ測定装置から取得し、取得した電気的特性の変化を表すデータを物理的変化量を表すデータへ変換し、ユーザ端末に提供する管理サーバとを有することを特徴とする。
【００１６】
また、本発明におけるサイズ測定システムによれば、管理サーバは、アパレル系商品のサイズ及び形状を管理するデータベースを備え、物理的変化量を表すデータへの変換を行った後、データベースを参照し、物理的変化量を表すデータに合致したアパレル系商品を検索し、検索結果をユーザ端末へ送信することを特徴とする。
【００１７】
また、本発明におけるサイズ測定システムによれば、管理サーバは、アパレル系商品の検索結果を示す商品検索結果情報として、アパレル系商品の購入用のＷｅｂページのＵＲＬを含む情報をユーザ端末へ送信し、ユーザ端末は、ＵＲＬを含む情報を用いて、アパレル系商品の購入用のＷｅｂページを取得することを特徴とする。
【００１８】
なお、以上の構成要素の任意の組合せや、本発明の構成要素や表現を方法、装置、システム、コンピュータプログラム、コンピュータプログラムを格納した記録媒体などの間で相互に置換したものもまた、本発明の態様として有効である。
【発明の効果】
【００１９】
本発明は、ユーザが装着することにより、ユーザの装着した身体部分のサイズ及び形状を特定するサイズ測定装置であって、電気的特性の変化に基づいて物理的変化量を測定する測定センサを有し、測定センサは、ユーザの身体の形状に起因する基材の伸長の程度を測定するので、専門的な採寸技術のないユーザでも簡単に取り扱え、容易に採寸することが可能となる。
【図面の簡単な説明】
【００２０】
【図１】本発明の第１の実施の形態におけるサイズ測定システムの構成を示す図である。
【図２】本発明の第１の実施の形態におけるサイズ測定装置の外観を示す図である。
【図３】本発明の第１の実施の形態におけるサイズ測定装置のブロック構成図である。
【図４】本発明の第１の実施の形態における測定センサの構成の一例を示す断面模式図であって、（ａ）は伸長していない状態を示す図であり、（ｂ）は面方向に伸長している状態を示す図である。
【図５】図２の正面図のＡ−Ａ線におけるサイズ測定装置の断面平面図である。
【図６】本発明の第１の実施の形態におけるユーザ端末の構成を示すブロック図である。
【図７】本発明の第１の実施の形態における管理サーバの構成を示すブロック図である。
【図８】本発明の第１の実施の形態におけるユーザ測定ＤＢのデータ構成の一例を示す図である。
【図９】本発明の第１の実施の形態における商品ＤＢのデータ構成の一例を示す図である。
【図１０】本発明の第１の実施の形態における商品ＤＢに管理されるデータのうち商品サイズ情報をより詳細に表した図である。
【図１１】本発明の第１の実施の形態におけるサイズ測定システムによるユーザの身体のサイズ等の測定動作の流れを示すシーケンスチャートである。
【図１２】（ａ），（ｂ）は、本発明の第１の実施の形態の変形例におけるサイズ測定装置の外観を示す図である。
【図１３】本発明の第２の実施の形態におけるサイズ測定装置の外観を示す正面図である。
【図１４】図１３の正面図のＢ−Ｂ線におけるサイズ測定装置の断面平面図である。
【図１５】本発明の第３の実施の形態におけるサイズ測定装置の外観を示す正面図である。
【図１６】図１５の正面図のＣ−Ｃ線におけるサイズ測定装置の断面平面図である。
【図１７】図１５の正面図のＤ−Ｄ線におけるサイズ測定装置の断面平面図である。
【発明を実施するための形態】
【００２１】
＜第１の実施の形態＞
〔１〕第１の実施の形態の概要
本発明の第１の実施の形態におけるサイズ測定装置１０は、測定対象物に装着することにより、その装着した測定対象物のサイズと形状を測定するものである。
その測定対象物は、例えば、ユーザの身体又はその他物品である。
【００２２】
ユーザ端末２０は、サイズ測定装置１０と近距離無線通信網等により接続されており、測定対象物のサイズ等を導き出す際の基になるデータをサイズ測定装置１０から取得すると、当該取得したデータを管理サーバ３０へ送信する。
管理サーバ３０は、そのデータを受信すると、自身に備えられたデータベースを参照して測定対象物のサイズ等を特定するとともに、測定対象物のサイズや形状に合致した商品の検索を行い、その検索結果及び測定対象物のサイズ情報等をユーザ端末２０へ提供する。
ユーザは、ユーザ端末２０を用いて、その検索結果及びサイズ情報等を閲覧し、その検索結果に示された商品をそのままＥＣサイトで注文することができる。
【００２３】
測定対象物は上述のとおり特に限定しないが、以下に説明する例では、その一例としてユーザの身体であるとし、サイズ測定装置１０をユーザが着用する衣服形状（シャツ、タイツ、パンツ等）であるとする。
また、測定対象物に合致した商品は、一例として、ユーザの身体のサイズや形状に合致するアパレル系商品（衣服、帽子、アクセサリー等）であるとする。
【００２４】
〔２〕第１の実施の形態の構成
（１）サイズ測定システムの全体構成
図１は、本発明の第１の実施の形態におけるサイズ測定システムの構成を示す図である。
図に示すように、サイズ測定システムは、ユーザの身体に装着してユーザの身体のサイズを測定し、当該測定したサイズ等を表すセンサ測定情報を出力するサイズ測定装置１０と、身体を測定するユーザが操作するユーザ端末２０と、及びアパレル系商品のサイズや形状の情報等を管理し、当該センサ測定情報に基づいてユーザの身体サイズの情報であるユーザサイズ情報や当該サイズに合った商品の情報である商品検索結果情報を提供する管理サーバ３０とを有して構成される。
【００２５】
サイズ測定装置１０とユーザ端末２０とは、ネットワークを介して通信可能に接続されており、例えば、赤外線、Ｗｉ−Ｆｉ又はＢｌｕｅｔｏｏｔｈ（登録商標）等の近距離無線通信で接続される。
ユーザ端末２０は、サイズ測定装置１０が測定したユーザの身体のサイズの情報を含むセンサ測定情報をネットワークを介してサイズ測定装置１０から受信して取得することができる。
【００２６】
管理サーバ３０とユーザ端末２０とは、ネットワークを介して通信可能に接続されており、例えば、インターネット又はＬＡＮ等のネットワークを介して接続される。
ユーザ端末２０は、上記サイズ測定装置１０から取得したセンサ測定情報をネットワークを介して管理サーバ３０へ送信する。
管理サーバ３０は、センサ測定情報をユーザ端末２０から受信すると、自身に備えられているデータベースに格納する。
また、管理サーバ３０は、ユーザ端末２０に対して、ユーザの身体のサイズに合ったアパレル形商品の情報を送信する。
【００２７】
サイズ測定装置１０は、ユーザの身体のサイズ及び形状を測定するものであり、その測定対象となる身体の部位は特に限定しないが、本実施の形態では、一例として、タイツ形状をなしており、ユーザの身体のサイズ及び形状を測定するものとし、管理サーバ３０は、ユーザの身体のサイズ及び形状に合ったアパレル系商品（ズボン、パンツ、タイツ等）の情報を提供するものとする。
【００２８】
（２）サイズ測定装置１０の構成
（サイズ測定装置１０の全体構成）
図２は、本発明の第１の実施の形態におけるサイズ測定装置１０の外観を示す図である。
図に示す例では、本実施の形態におけるサイズ測定装置１０は、タイツ形状をなしており、全体として、伸縮自在な繊維等の素材で構成されている。
ユーザがタイツを履くようにサイズ測定装置１０を自身の下半身に装着すると、サイズ測定装置１０はユーザの下半身のサイズ及び形状に合わせて伸長し、そのサイズ及び形状を測定する。
例えば、サイズ測定装置１０のウエスト部分をユーザのウエストの位置に合わせ、サイズ測定装置１０の裾部分をユーザの足首よりやや上に位置するように着用することにより、サイズ測定装置１０は、ユーザの体型に合わせて足の長さ方向に伸長するとともに、ウエスト、ヒップ、足の太さ等に合わせてウエスト、ヒップ、足の周りの周方向に伸長する。
ユーザがタイツを脱ぐようにサイズ測定装置１０を下半身から取り外すと、サイズ測定装置１０は元のサイズ及び形状に復元する。
【００２９】
図に示すように、サイズ測定装置１０は、伸縮可能な素材によりタイツ形状を形成する本体部１と、ユーザの身体のサイズ及び形状の測定処理等を実行する測定処理部４とを有して構成される。
上記本体部１の伸縮可能な素材としては、例えば、スパンデックス（ポリウレタン弾性繊維）を、ポリエステル等の伸縮性及び弾力性に富んだ素材又は他の繊維（コットン等）を混紡した合成繊維等が用いられ、その伸縮性及び弾力性が確保できるものであれば一般に衣類等に用いられる他の素材であってもよい。
また、図の例においては、測定処理部４は、タイツ状の本体部１のウエスト部分の裏地の位置に取り付けられているが、これはあくまでも一例であり、この位置に限定されない。
【００３０】
図３は、本発明の第１の実施の形態におけるサイズ測定装置１０のブロック構成図である。
図に示すように、サイズ測定装置１０の測定処理部４は、ＣＰＵ等により構成されサイズ測定装置１０全体を制御する制御部１１と、ＲＯＭ、ＲＡＭ等により構成されセンサ測定情報等を格納する情報格納部１２と、近距離無線通信等によりユーザ端末２０と通信を行う通信部１３と、後述の測定センサの測定値を検出する検出部１４と、ユーザの身体のサイズや形状等を測定する１以上の測定センサから構成される測定部１５とを有して構成される。
【００３１】
検出部１４は、測定部１５（測定センサ）により測定されたユーザの身体のサイズや形状等を示すアナログ信号をデジタル信号に変換して制御部１１へ入力する。
【００３２】
測定部１５は、測定センサにより構成され、その測定センサは電気的特性の変化に基づいて物理的変化量を測定するものであり、本体部１上に設けられる。
【００３３】
（測定センサの構成）
図４は、本発明の第１の実施の形態における測定センサ１２００の構成の一例を示す断面模式図であって、（ａ）は伸長していない状態を示す図であり、（ｂ）は面方向に伸長している状態を示す図である。
以下、本図を用いて、本実施の形態におけるサイズ測定装置１０において用いられる測定センサ１２００の構成を説明する。
【００３４】
図に示すように、測定センサ１２００は、誘電膜１２０１と、誘電膜１２０１の表裏両面にそれぞれ固定される電極１２０２，１２０３とを有して構成される。
【００３５】
誘電膜１２０１はシート状を形成しており、弾性変形可能に構成される。
誘電膜１２０１を構成する素材としては主としてエラストマーから構成され、例えばエラストマーとしては、シリコーンゴム、アクリロニトリル−ブタジエン共重合ゴム、アクリルゴム、エピクロロヒドリンゴム、クロロスルホン化ポリエチレン、塩素化ポリエチレン、ウレタンゴム等を用いることが可能である。
【００３６】
電極１２０２，１２０３もまた誘電膜１２０１と同様に、シート状を形成しており、弾性変形可能に構成される。
電極１２０２，１２０３を構成する素材としては主としてエラストマーから構成され、例えばエラストマーとしては、シリコーンゴム、エチレン−プロピレン共重合ゴム、天然ゴム、スチレン−ブタジエン共重合ゴム、アクリロニトリル−ブタジエン共重合ゴム、アクリルゴム、エピクロロヒドリンゴム、クロロスルホン化ポリエチレン、塩素化ポリエチレン、ウレタンゴム等を用いることが可能である。
電極１２０２，１２０３は、上記エラストマーに導電材料を伸縮可能に設けて又は含有させて構成され、電極１２０２，１２０３が誘電膜１２０１とともに伸縮した際にも導電性が確保されている。
【００３７】
測定センサ１２００の静電容量Ｃは、下記の式により求めることができる。
Ｃ＝ε・Ｓ／ｄ        ・・・式（１）
（Ｃ：静電容量，ε：誘電比率，Ｓ：電極１２０２（電極１２０３）の面積，ｄ：電極１２０２，１２０３間の距離）
【００３８】
図４の（ａ），（ｂ）に示すように、例えば、測定センサ１２００の電極１２０２，１２０３の面方向に対して伸長させる方向に力が加わると、誘電膜１２０１及び電極１２０２，１２０３の面積Ｓが拡張するとともに、誘電膜１２０１の膜厚が小さくなり、これに伴って電極１２０２，１２０３間の距離ｄが小さくなる。この変化によって、上述の式（１）より、電極１２０２，１２０３間の静電容量Ｃは増加する。
【００３９】
本実施の形態では、上記帯形状の伸縮型の測定センサ１２００は、ユーザがサイズ測定装置１０を装着したときに、帯長さ方向にほぼ直線的に伸長するように本体部１上に取り付けられる。
【００４０】
各電極１２０２，１２０３には配線の一端が接続され、その配線の他端は検出部１４に接続されている。
【００４１】
検出部１４は、測定センサ１２００から検出信号を入力すると、当該検出信号の値は情報格納部１２に格納される。
この検出信号は電極１２０２，１２０３間の静電容量に応じて波形の振幅が変化するので、振幅を測定することにより、両電極１２０２，１２０３間の静電容量を測定（算定）することできる。
【００４２】
このように誘電膜１２０１を電極１２０２，１２０３で挟んで構成した測定センサは、面方向に伸長させると静電容量が変化するので、その静電容量の変化量を計測することにより、測定センサがどれくらい物理的に伸長したかを測定する伸縮型の測定センサとして用いることができる。
【００４３】
なお、本実施の形態では、測定センサ１２００は、２つの電極１２０２，１２０３間に誘電膜１２０１が配置される３層構造で構成されるものであったが、電極、誘電膜、電極、誘電膜、電極、・・・と各一対の電極間に誘電膜が配置される３層以上の構造で構成されるようにしてもよい。
この構成においても各電極は配線を介して検出部１４に接続される。
【００４４】
（測定センサの配置例）
上述のとおり、サイズ測定装置１０の本体部１には伸縮型の測定センサ１２００が設けられる。
図５は、図２の正面図のＡ−Ａ線におけるサイズ測定装置１０の断面平面図である。
以下、図２，５を用いて、サイズ測定装置１０における測定センサ１２００の配置及び作用動作について説明する。
【００４５】
図２，５に示す例では、サイズ測定装置１０の本体部１には、測定センサＬ１〜Ｌ１２，Ｒ１〜Ｒ５が所定の同間隔又はランダムな間隔で複数縦横に略直交して配置されており、格子状を形成している。
各測定センサＬ１〜Ｌ１２，Ｒ１〜Ｒ５は、上記測定センサ１２００と同様の構成を有している。
ここで、縦方向とは足の長さ方向をいい、横方向とはウエスト、ヒップ、足等の周方向をいい、縦方向と直交する方向である。
各測定センサＬ１〜Ｌ１２，Ｒ１〜Ｒ５は、互いに直接電気的に接続されておらず、各測定センサ個々の静電容量の値が検出部１４に独立して入力される。
【００４６】
図２に示すように、縦方向に配置されている測定センサＲ１〜Ｒ５は、帯状の測定センサ１２００であり、タイツ状のサイズ測定装置１０のウエスト周り部分に相当する上端から裾部分（足首部分）に相当する下端まで配置される。
図２は正面図であるが、背面も同様に縦方向に配置されている。
【００４７】
また、図５に示すように、横方向に配置されている測定センサＬ１は、帯状の測定センサ１２００の長さ方向の両端が接続されてリング状に構成されており、タイツ状のサイズ測定装置１０のウエスト周りを正面側から背面側にかけて連続して１周巻回するように本体部１に取り付けられている。
また、同様に、その他の横方向に配置された各測定センサＬ２〜Ｌ１２も、測定センサ１２００がリング状に構成されており、腿周りや膝周り等のタイツ形状のサイズ測定装置１０の各部位を連続して１周巻回するように本体部１に取り付けられている。
【００４８】
このように、サイズ測定装置１０の縦方向には帯状の測定センサが配置され、横方向にはリング状の測定センサが配置されているが、これら帯状又はリング状の測定センサは、１つの測定センサ１２００から構成されていてもよいし、複数の測定センサ１２００が測定センサの長さ方向に直列的に接続されて構成されていてもよい。
複数の測定センサ１２００から構成されている場合、管理サーバ３０は、各測定センサ１２００の長さの値の合計値により、縦方向及び横方向（周方向）全体の長さを決定する。
【００４９】
各測定センサＬ１〜Ｌ１２，Ｒ１〜Ｒ５は、サイズ測定装置１０の表面に露出するように取り付けられていてもよいし、裏面に取り付けられてもよい。また、本体部１が複数の繊維層により構成される場合には、その繊維間に挟まれるように取り付けられてもよい。
【００５０】
なお、本図には表れていないが、各測定センサＬ１〜Ｌ１２，Ｒ１〜Ｒ５は配線を介して検出部１４に接続されており、制御部１１は、上述の方法と同様の方法により、各測定センサＬ１〜Ｌ１２，Ｒ１〜Ｒ５における静電容量の値を算定する。
【００５１】
ユーザがタイツ状のサイズ測定装置１０を履くと、本体部１とともに、各測定センサＬ１〜Ｌ１２，Ｒ１〜Ｒ５も同様に伸長し、サイズ測定装置１０を着用したユーザのサイズに合わせて伸長する。
伸長した際に、各測定センサＬ１〜Ｌ１２，Ｒ１〜Ｒ５の静電容量を計測することにより、ユーザの足の長さやウエスト周りなどの長さを測定することができるようになっている。
【００５２】
（３）ユーザ端末２０の構成
ユーザ端末２０は、自身の身体のサイズ及び形状を測定するユーザが操作する情報処理装置であって、例えば、スマートフォン、タブレット型端末、携帯電話機、ＰＤＡ又はＰＣ等である。
【００５３】
図６は、本発明の第１の実施の形態におけるユーザ端末２０の構成を示すブロック図である。
図に示すように、ユーザ端末２０は、ＣＰＵ等により構成されユーザ端末２０全体を制御する制御部２１と、各種情報を格納する情報格納部２２と、インターネットやＬＡＮ等のネットワークを介して管理サーバ３０と通信を行うとともに、無線ＬＡＮやＢｌｕｅｔｏｏｔｈ（登録商標）等の近距離無線通信等を介してサイズ測定装置１０と通信を行う通信部２３と、ディスプレイ等に情報の表示を行う表示部２４と、各種キー、タッチパネル又はマイク等により情報の入力を行う操作部２５とを有して構成される。
【００５４】
なお、上述のとおり、ユーザ端末２０はサイズ測定装置１０との間で近距離無線通信を介して情報の送受信を行うことが好ましいが、有線（ケーブル）を相互に接続して通信を行うようにしてもよい。
【００５５】
通信部２３は、センサ測定情報をサイズ測定装置１０から受信すると、その受信したセンサ測定情報を管理サーバ３０へ送信する。
その後、通信部２３がユーザの身体サイズの測定結果であるユーザサイズ情報及び当該ユーザサイズ情報に示されるユーザの身体サイズに合ったアパレル系商品の情報である商品検索結果情報を管理サーバ３０から受信すると、制御部２１は、これら受信した情報を表示部２４に表示させる。
ユーザは、その表示部２４上に表示された商品検索結果情報（Ｗｅｂページ等）について操作部２５を操作してそのまま当該商品をネットショップにおいて購入することができる。
【００５６】
（４）管理サーバ３０の構成
管理サーバ３０は、ユーザ端末２０から送信されるセンサ測定情報に基づいて、ユーザの身体のサイズ情報を含むユーザサイズ情報を出力して管理するとともに、当該ユーザサイズ情報をユーザ端末２０へ提供する情報処理装置である。
また、管理サーバ３０は、アパレル系商品のサイズ等を示す商品情報を予め複数格納し、上記ユーザサイズ情報に基づき、商品情報のデータベースを参照して、ユーザの身体のサイズ及び形状に合ったアパレル系商品を検索し、その検索結果（商品検索結果情報）をユーザ端末２０へ提供する。
【００５７】
図７は、本発明の第１の実施の形態における管理サーバ３０の構成を示すブロック図である。
図に示すように、管理サーバ３０は、ＣＰＵ等により構成され管理サーバ３０全体を制御する制御部３１と、センサ測定情報及び商品情報等を格納する情報格納部３２と、インターネットやＬＡＮ等のネットワークを介してユーザ端末２０と通信を行う通信部３３とを有して構成される。
【００５８】
管理サーバ３０の情報格納部３２は、サイズ測定装置１０により測定された各測定センサの測定値（静電容量の値）を示すセンサ測定情報を管理するセンサ測定ＤＢ３２１と、センサ測定情報を測定センサの物理的変化量であるセンササイズ情報に変換するための測定変換ＤＢ３２２と、ユーザを識別するユーザＩＤに対応付けて、各ユーザのユーザサイズ情報を管理するデータベースであるユーザ測定ＤＢ３２３と、アパレル系商品を識別する商品ＩＤに対応付けて、アパレル系商品の内容やサイズ等を表す商品情報を管理するデータベースである商品ＤＢ３２４とを格納する。
【００５９】
センサ測定ＤＢ３２１は、管理サーバ３０がユーザ端末２０から受信したセンサ測定情報（各測定センサが測定した静電容量の値）を管理するデータベースである。
センサ測定ＤＢ３２１には、各ユーザごと、各測定センサごとに、その静電容量の値が格納されている。
また、上記センサ測定情報とともに、当該センサ測定情報を変換したセンササイズ情報も各測定センサごとにセンサ測定ＤＢ３２１に格納される。
【００６０】
測定変換ＤＢ３２２は、測定センサの静電容量の値を長さの値に変換するためのデータベースである。
測定変換ＤＢ３２２は、各測定センサＬ１〜Ｌ１２，Ｒ１〜Ｒ５の静電容量の値と、当該値が示す各測定センサＬ１〜Ｌ１２，Ｒ１〜Ｒ５の長さとを対応付けて管理している。
【００６１】
また、測定変換ＤＢ３２２には、各測定センサのサイズ測定装置１０における位置を表す情報であるセンサ位置情報も管理されている。
センサ位置情報は、例えばタイツ形状のサイズ測定装置１０においてどの位置に測定センサが配置されているかを示す座標情報である。
【００６２】
また、上記センサ位置情報には、ユーザサイズ情報の各サイズがどの測定センサの測定値により決定されるかを示す情報も含まれる。
当該ユーザサイズ情報の各サイズとは、ウエストやヒップ等のユーザの身体のサイズ（後述のサイズＳｚ１〜Ｓｚ４，・・・に対応）を示すものである。
例えば、「ウエストのサイズはセンサＬ１により決定される」旨の情報が測定変換ＤＢ３２２において管理されている。
【００６３】
また、ユーザサイズ情報の各サイズには、１つの測定センサで決定されるものの他に、複数の測定センサにより決定されるものもある。
すなわち、ユーザサイズ情報の各サイズには、複数の測定センサの測定値又はその変換値の合計又は差分により決定されるものもある。
センサ位置情報は、これらユーザサイズ情報の各サイズが、どの測定センサの測定値の合計値又は差分値を用いるかも示している。
【００６４】
管理サーバ３０は、センサ測定情報をユーザ端末２０から受信すると、当該受信したセンサ測定情報をセンササイズ情報に変換し、その変換したセンササイズ情報（各測定センサの長さの値）と、上記センサ位置情報とに基づいて、ユーザの身体のどの部分のサイズがどのくらいの長さであるかを検出する。
【００６５】
ユーザ測定ＤＢ３２３は、ユーザの身体サイズを示すユーザサイズ情報を管理するデータベースである。
【００６６】
図８は、本発明の第１の実施の形態におけるユーザ測定ＤＢ３２３のデータ構成の一例を示す図である。
図に示すように、ユーザ測定ＤＢ３２３には、ユーザサイズ情報として、ユーザの身体の様々なサイズＳｚ１〜Ｓｚ４，・・・が各ユーザごとに管理されている。
なお、サイズＳｚ１〜Ｓｚ４，・・・は、例えば、ユーザのウエストやヒップ、股下等の衣服着用の際等において一般に用いられる寸法であるが、これに限定されず、あらゆる身体サイズが含まれる。
【００６７】
上記ユーザサイズ情報は、制御部３１により各測定センサの長さを表すセンササイズ情報に基づいて決定される。
管理サーバ３０がユーザ端末２０からセンサ測定情報（測定センサの静電容量の値）を受信すると、管理サーバ３０の制御部３１は、測定変換ＤＢ３２２を参照し、当該受信した静電容量の値を測定センサの長さの値を示すセンササイズ情報に変換する。
このセンササイズ情報は、各測定センサの長さをそれぞれ表す情報である。
上記のとおり、制御部３１は、その変換したセンササイズ情報から、いくつかの測定センサの長さを示すセンササイズ情報を抽出し、その抽出したセンササイズ情報をユーザのウエストやヒップ、股下等の身体サイズの情報を示すユーザサイズ情報としてユーザ測定ＤＢ３２３に登録する。
【００６８】
また、上述したように、複数の測定センサの長さの合計によりユーザの身体のサイズを表す場合には、制御部３１は、上記抽出した複数の測定センサのセンササイズ情報の値を合計し、その合計値をユーザサイズ情報としてユーザ測定ＤＢ３２３に登録する。
また、複数の測定センサの長さの差分によりユーザの身体のサイズを表す場合には、制御部３１は、上記抽出した複数の測定センサのセンササイズ情報の値の差分を計算し、その計算値をユーザサイズ情報としてユーザ測定ＤＢ３２３に登録する。
【００６９】
管理サーバ３０は、上記ユーザ測定ＤＢ３２３に登録したユーザサイズ情報をユーザ端末２０へ送信する。
【００７０】
商品ＤＢ３２４は、アパレル系商品の商品情報を管理するデータベースである。
図９は、本発明の第１の実施の形態における商品ＤＢ３２４のデータ構成の一例を示す図である。
図に示すように、商品ＤＢ３２４は、予め所定の方法で測定されたアパレル系商品のサイズを表す商品サイズ情報と、その他アパレル系商品に関する情報（アパレル系商品の形状、色、デザイン、種類、メーカー、価格、画像情報、ネットショップにおけるアパレル系商品の販売ページのＵＲＬ等）とがアパレル系商品を識別する商品ＩＤに対応付けられ、商品情報として登録されている。
【００７１】
図１０は、本発明の第１の実施の形態における商品ＤＢ３２４に管理されるデータのうち商品サイズ情報をより詳細に表した図である。
図に示すように、商品ＤＢ３２４には、各アパレル系商品の商品サイズ情報がサイズＳｚ１〜Ｓｚ４，・・・ごとに（図では一部省略）登録されている。
上記商品サイズ情報のサイズＳｚ１〜Ｓｚ４，・・・は、ユーザ測定ＤＢ３２３のサイズＳｚ１〜Ｓｚ４，・・・にそれぞれ対応している。
【００７２】
また、商品ＤＢ３２４には、商品サイズ情報ごとにその検索範囲についても登録されている。各検索範囲には対応する上記商品サイズ情報の数値が含まれている。
図に示す例では、商品ＩＤ「Ｓ０００１」のアパレル系商品のサイズＳｚ１の商品サイズ情報は「７２．０」、その検索範囲は括弧内の「７０．０〜７５．０」であり、ユーザサイズ情報が「７２．０」である場合、管理サーバ３０の制御部３１は、ユーザサイズ情報が検索範囲内に収まっているので、商品ＩＤ「Ｓ０００１」のアパレル系商品の情報は、ユーザ端末２０へ提供される商品検索結果情報に含まれる可能性がある。
制御部３１は、上記のような検索処理を、各アパレル系商品の各サイズＳｚ１〜Ｓｚ４，・・・で行い、ユーザの身体サイズに合ったアパレル系商品の商品情報を抽出する。
【００７３】
なお、上記アパレル系商品の抽出方法は、特に限定されない。
例えば、全てのサイズＳｚ１〜Ｓｚ４，・・・の検索範囲内に収まったときだけ当該アパレル系商品の商品情報を抽出してもよいし、上記測定センサのうち一部のセンサの検索範囲内に収まった場合にも抽出するようにしてもよい。
また、その検索範囲の数値幅は、ユーザが任意の値を予め設定し、商品ＤＢ３２４に登録しておくようにしてもよいし、各アパレル系商品の種類や素材等によって管理サーバ３０の制御部３１が自動的に設定するようにしてもよい。
例えば、制御部３１はアパレル系商品が伸縮性の高い素材であれば検索範囲の数値幅を広めに設定し、反対に伸縮性の低い素材であれば検索範囲の数値幅を狭めに設定するようにしてもよい。
【００７４】
制御部３１は、上記のように検索の結果抽出した１以上のアパレル系商品の商品情報を、商品検索結果情報としてユーザ端末２０へ送信する。
ユーザ端末２０は、商品検索結果情報を管理サーバ３０から受信すると、当該受信した商品検索結果情報を表示部２４上に表示する。
ここで、商品検索結果情報としては、例えば、ユーザサイズ情報が示すユーザの身体サイズ及び形状に合致したアパレル系商品、又は所定値範囲内の近いサイズ及び形状のアパレル系商品の各種文字や画像情報が表示される。
ユーザは、その表示された商品検索結果情報を閲覧して自身の身体に合ったアパレル系商品の情報を知ることができ、アパレル系商品購入の際の参考にすることが可能となる。
【００７５】
また、ユーザは、商品検索結果情報上に表示されているＵＲＬをクリック等すると、ユーザ端末２０は、当該ＵＲＬのＷｅｂページの取得要求をＷｅｂサーバに対して送信し、Ｗｅｂサーバは、当該Ｗｅｂページである上記商品検索結果情報上のアパレル系商品の購入ページをユーザ端末２０へ送信する。
ユーザ端末２０は、その購入ページを受信すると、表示部２４上に表示する。
その後、ユーザは、その購入ページから当該アパレル系商品をネットショップで購入することも可能である。ネットショップにおける購入処理については既知の処理内容と同様であるのでその説明を省略する。
【００７６】
〔３〕第１の実施の形態の動作
次に、本発明の第１の実施の形態におけるサイズ測定システムによるユーザの身体のサイズ等の測定動作について説明する。
図１１は、本発明の第１の実施の形態におけるサイズ測定システムによるユーザの身体のサイズ等の測定動作の流れを示すシーケンスチャートである。
以下、本図に沿って、当該測定動作の説明を進める。
【００７７】
まず、ユーザはタイツ状のサイズ測定装置１０を履いて自身の下半身に装着する（ステップＳ１０１）。
【００７８】
次に、ユーザはサイズ測定装置１０の所定のスイッチ（図示せず）を操作してＯＮにすると（ステップＳ１０２）、サイズ測定装置１０とユーザ端末２０との間の近距離無線通信が確立する（ステップＳ１０３）。
この近距離無線通信の確立方法については、公知技術を用いるものであるので、その詳細は省略する。
【００７９】
サイズ測定装置１０とユーザ端末２０との間の近距離無線通信が確立すると、次に、ユーザは、ユーザ端末２０の操作部２５を操作して測定開始を入力する（ステップＳ１０４）。
すると、ユーザ端末２０は、サイズ測定装置１０に対して測定開始要求を送信する（ステップＳ１０５）。
サイズ測定装置１０は、上記測定開始要求をユーザ端末２０から受信すると、ユーザがサイズ測定装置１０を着用した状態で、各測定センサＬ１〜Ｌ１２，Ｒ１〜Ｒ５の静電容量の値を計測し（ステップＳ１０６）、該測定値をセンサ測定情報としてユーザ端末２０へ送信する（ステップＳ１０７）。
【００８０】
ユーザ端末２０は、上記センサ測定情報（静電容量の測定値）を受信すると、当該受信したセンサ測定情報を管理サーバ３０へ送信する（ステップＳ１０８）。
管理サーバ３０が上記センサ測定情報をユーザ端末２０から受信すると、管理サーバ３０の制御部３１は、当該受信したセンサ測定情報をセンサ測定ＤＢ３２１に登録するとともに、測定変換ＤＢ３２２に基づいて、上記受信したセンサ測定情報を、ユーザがサイズ測定装置１０を装着したときの各測定センサＬ１〜Ｌ１２，Ｒ１〜Ｒ５の長さの値を示すセンササイズ情報に変換する（ステップＳ１０９）。
管理サーバ３０は、当該変換した長さの値を示すセンササイズ情報をセンサ測定ＤＢ３２１に登録する。
【００８１】
次に、制御部３１は、上記変換したセンササイズ情報と、上記センサ位置情報とに基づいて、ユーザサイズ情報を生成し、当該生成したユーザサイズ情報をユーザ測定ＤＢ３２３に登録する（ステップＳ１１０）。
【００８２】
次に、制御部３１は、商品ＤＢ３２４を参照し、上記生成したユーザサイズ情報（ユーザの身体サイズ）に適合したアパレル系商品を検索する（ステップＳ１１１）。
【００８３】
次に、管理サーバ３０は、その検索結果が示された商品検索結果情報をユーザ端末２０へ送信する（ステップＳ１１２）。
ユーザ端末２０は、当該商品検索結果情報を受信すると、表示部２４上に表示する（ステップＳ１１３）。
例えば、ユーザ端末２０の表示部２４に表示される商品検索結果情報の内容として、ユーザサイズ情報が検索範囲内に適合したアパレル系商品の一覧や価格、メーカー及び画像等の詳細情報が表示される。
また、商品検索結果情報には、表示されるアパレル系商品を購入するためのネットショップのＷｅｂページのＵＲＬが埋め込まれ、商品検索結果情報上のアイコンやＵＲＬをクリック等すると、ユーザ端末２０は、Ｗｅｂサーバ（管理サーバ３０でもよい）へ当該アパレル系商品の購入用のＷｅｂページの取得要求を送信し、当該Ｗｅｂサーバから該当するページを受信すると表示し、その後、アパレル系商品をネットショップ上で購入できるよう構成されてもよい。
以上で、動作を終了する。
【００８４】
〔４〕第１の実施の形態のまとめ
以上説明したように、本発明の第１の実施の形態におけるサイズ測定システムによれば、ユーザはタイツを履くようにサイズ測定装置１０を身体に装着するという簡単な操作だけで、各測定センサＬ１〜Ｌ１２，Ｒ１〜Ｒ５の静電容量の変化量等に基づいて、身体のサイズ及び形状を特定でき、身体のサイズや体型を確認したり、サイズや体型に合ったアパレル系商品を検索したりすることを容易に行うことが可能となる。
また、サイズ測定装置１０の各測定センサＬ１〜Ｌ１２，Ｒ１〜Ｒ５は、伸縮自在な素材を用いており、タイツを脱ぐようにユーザがサイズ測定装置１０を取り外すと、その形状が復元するので、何度でも身体のサイズ等を測定することができる。
【００８５】
〔５〕第１の実施の形態の変形例１
（ユーザ端末２０が測定変換ＤＢを管理）
（１）第１の実施の形態の変形例１の構成
上述の第１の実施の形態では、管理サーバ３０は、センサ測定情報（静電容量の測定値）とセンササイズ情報（長さ）とが対応付けられた測定変換ＤＢ３２２を管理し、測定センサの静電容量の値を長さに変換していた。
本変形例では、ユーザ端末２０が、管理サーバ３０に代わって、上記測定変換ＤＢを管理する。
以下、第１の実施の形態の変形例１について詳細に説明するが、構成及び動作等は、特記しない限り、第１の実施の形態と同様であるものとする。
【００８６】
（２）第１の実施の形態の変形例１の動作
本変形例においては、ユーザ端末２０は、センサ測定情報をサイズ測定装置１０から受信すると、自端末に格納されている測定変換ＤＢに基づいて、そのセンサ測定情報に含まれる各測定センサの静電容量の値を長さの値に変換し、センササイズ情報を生成する。
そして、ユーザ端末２０は、その生成したセンササイズ情報に基づいて、ユーザサイズ情報を生成し、表示部２４上に表示する。
【００８７】
ユーザ端末２０は、上記生成したユーザサイズ情報を管理サーバ３０へ送信する。
管理サーバ３０は、ユーザサイズ情報をユーザ端末２０から受信すると、管理サーバ３０の制御部３１は、当該受信したユーザサイズ情報に基づいてアパレル系商品の検索処理を行う。
当該アパレル系商品の検索処理及びその後の処理の内容については、上述した第１の実施の形態におけるものと同様であるので、その説明は省略する。
【００８８】
（３）第１の実施の形態の変形例１のまとめ
このように、本変形例では、ユーザ端末２０が、管理サーバ３０に代わって、測定変換ＤＢを格納するとともに、ユーザのユーザサイズ情報を出力し、表示するので、管理サーバ３０による処理の負担を軽減させることが可能となる。
【００８９】
〔６〕第１の実施の形態の変形例２
（サイズ測定装置１０の他の形状）
（１）第１の実施の形態の変形例２の構成
上述の第１の実施の形態では、サイズ測定装置１０はタイツ形状であったが、本変形例においては、タイツ以外の他の衣服等の形状で構成される。
図１２の（ａ），（ｂ）は、本発明の第１の実施の形態の変形例におけるサイズ測定装置１０の外観を示す図である。
以下、本図を用いて、本変形例の説明を進める。
【００９０】
図１２の（ａ）に示すように、サイズ測定装置１０はシャツ形状であってもよい。
サイズ測定装置１０は、タイツ形状の場合と同様に、格子状に複数の測定センサが配置され、例えば、縦方向の測定センサは帯状のものが用いられ、腕周り、胴周り又は首周り等にはリング状の測定センサが配置される。
【００９１】
ユーザは、シャツを着るように本シャツ形状のサイズ測定装置１０を自身の上半身に装着すると、上半身のサイズが測定される。
【００９２】
図１２の（ｂ）に示すように、サイズ測定装置１０は帽子形状であってもよい。
サイズ測定装置１０は、タイツやシャツ形状の場合と同様に、格子状に複数の測定センサが配置され、例えば、縦方向の測定センサは帯状のものが用いられ、頭周り等にはリング状の測定センサが配置される。
【００９３】
ユーザは、帽子をかぶるように本帽子形状のサイズ測定装置１０をかぶり自身の頭部に装着すると、頭部のサイズが測定される。
【００９４】
（２）第１の実施の形態の変形例２のまとめ
以上説明したように、サイズ測定装置１０は、タイツ形状だけでなく、ユーザの身体に関連する衣服等の他の形状であっても、ユーザの身体サイズや体型を容易に測定することが可能である。
なお、その測定方法は第１の実施の形態と同様であるので省略する。
【００９５】
〔７〕第１の実施の形態の変形例３
（測定センサが電気抵抗値を測定）
（１）第１の実施の形態の変形例３の概要
第１の実施の形態では、サイズ測定装置１０は、各測定センサの静電容量の変化に基づいて測定センサの伸長の程度を測定するものであった。
これに対し、第１の実施の形態の変形例３におけるサイズ測定装置１０は、測定センサの静電容量の他の特性、特に、電気抵抗値の変化に基づいて測定センサの伸縮を測定し、ユーザの身体のサイズ及び形状を特定する。
以下、特記しない限り、第１の実施の形態と同様であるとして、第１の実施の形態の変形例３について説明する。
【００９６】
（２）第１の実施の形態の変形例３の構成
（測定センサの構成）
本変形例において、測定センサは、導電性繊維と非導電性繊維とが混紡され伸縮性を備えた合成繊維と、当該合成繊維の伸縮方向（距離測定方向）の両端の抵抗値を計測する計測器とを有して構成される。
導電性繊維は、例えば、カーボン繊維、金属繊維（銀、銅、アルミニウム等）、導電性ポリマから形成された繊維又は導電性素材（導電性フィラー）を含む導電性ポリマ繊維、金属コーティング繊維（銀、銅、アルミニウム等）、あるいはそれらの混合物等が含まれる。
非伝導性繊維は、例えば、ポリエステル系繊維、ポリウレタン系繊維、ポリアミド系繊維又は木綿等が含まれる。
なお、金属コーティング繊維又は導電性素材（導電性フィラー）を含む繊維等は、非導電性繊維と混紡せずに、単独で使用されてもよい。
【００９７】
測定センサに張力を加えて伸縮方向に伸長させると、測定センサ自体の長さは長くなり、伸長方向と垂直な方向の断面積は小さくなり、その結果、電気抵抗は増加する。
【００９８】
（管理サーバ３０の構成）
第１の実施の形態では、管理サーバ３０は測定変換ＤＢ３２２を格納しており、測定変換ＤＢ３２２は、測定センサの静電容量の値と、長さの値とを対応付けて管理するものであった。
これに対し、本変形例では、測定変換ＤＢ３２２は、測定センサの電気抵抗値と、長さの値とを対応付けて管理する。
管理サーバ３０は、測定センサの電気抵抗値を含むセンサ測定情報をユーザ端末２０から受信すると、測定変換ＤＢ３２２を参照して、当該受信した測定センサの電気抵抗値を長さの値に変換し、その測定センサの長さの値を含むセンササイズ情報に基づいて、ユーザサイズ情報を生成し、これをユーザ端末２０へ送信する。
また、管理サーバ３０は、上記ユーザサイズ情報に基づいて生成した商品検索結果情報もユーザ端末２０へ送信する。
【００９９】
（３）第１の実施の形態の変形例３の動作
上記計測器においては、ユーザがサイズ測定装置１０を装着し、合成繊維が伸長すると、導電性繊維同士の接触部分が離間し、当該合成繊維の抵抗値が増加する。測定センサがこの増加量を計測することにより、合成繊維の伸長の程度を特定することができる。
サイズ測定装置１０は、当該計測された合成繊維の電気抵抗値をセンサ測定情報としてユーザ端末２０へ送信する。
【０１００】
ユーザ端末２０は、上記センサ測定情報（電気抵抗値）を受信すると、当該受信したセンサ測定情報を管理サーバ３０へ送信する。
【０１０１】
管理サーバ３０は、上記センサ測定情報をユーザ端末２０から受信すると、測定変換ＤＢ３２２を参照し、当該受信したセンサ測定情報に含まれる測定センサの電気抵抗値を合成繊維の長さの値に変換し、センササイズ情報を生成する。
管理サーバ３０は、その合成繊維の長さの値を含むセンササイズ情報に基づいてユーザサイズ情報を生成し、これをユーザ端末２０へ送信する。
【０１０２】
ユーザ端末２０は、上記ユーザサイズ情報を管理サーバ３０から受信すると、当該受信したユーザサイズ情報と、情報格納部２２に格納されているセンサ位置情報とに基づいて、ユーザの身体サイズを表示する。
【０１０３】
（４）第１の実施の形態の変形例３のまとめ
以上説明したように、本発明の第１の実施の形態の変形例３におけるサイズ測定システムは、測定センサの電気抵抗値を測定し、測定センサが備える合成繊維の長さを検出するので、測定センサの静電容量値を測定する場合と同様に、ユーザの身体のサイズや形状を容易に特定することが可能となる。
【０１０４】
なお、サイズ測定装置１０は、電気抵抗値以外の他の特性（特に電気的特性）の変化に基づいて、測定センサにおける伸縮を測定し、ユーザの身体のサイズ及び形状を特定するものであってもよい。
【０１０５】
本変形例では、測定センサの静電容量を測定する第１の実施の形態と同様に、複数の測定センサが直列的に接続されてサイズ測定装置１０上に配置されてもよい。
また、本変形例では、測定センサの静電容量を測定する第１の実施の形態と同様に、ユーザサイズ情報の各サイズは、複数の測定センサの電気抵抗値から決定された長さの合計値又は差分値であってもよい。
【０１０６】
＜第２の実施の形態＞
〔１〕第２の実施の形態の概要
第１の実施の形態では、各測定センサは、所定間隔又はランダムに格子状に配置されていた。
これに対し、本発明の第２の実施の形態では、測定センサは、例えばウエスト、ヒップ、股上といったように、衣服を作成する際に、又はユーザが衣服を購入する際に、計測する身体又は衣服の代表的な寸法に該当する任意の位置に配置される。
以下、特記しない限り、本実施の形態は、第１の実施の形態と同様であるものとして説明を進める。
【０１０７】
〔２〕第２の実施の形態の構成
（１）サイズ測定装置１０の構成
（測定センサの構成）
図１３は、本発明の第２の実施の形態におけるサイズ測定装置１０の外観を示す正面図である。
図に示すように、サイズ測定装置１０は、伸縮可能な素材によりタイツ形状を形成する本体部１と、ユーザの身体のサイズ及び形状の測定処理等を実行する測定処理部４とを有して構成される。
【０１０８】
（測定センサの配置例）
上述のとおり、サイズ測定装置１０の本体部１には伸縮型の測定センサ１２００が設けられる。
図１４は、図１３の正面図のＢ−Ｂ線におけるサイズ測定装置１０の断面平面図である。
以下、図１３，１４を用いて、サイズ測定装置１０における測定センサ１２００の配置及び作用動作について説明する。
【０１０９】
図１３，１４に示す例では、サイズ測定装置１０の本体部１には、測定センサＬ２１〜Ｌ２４，Ｒ２１，Ｒ２２が代表的な寸法に該当する位置の長さを測定するように任意の間隔で複数縦横に略直交して配置されている。
各測定センサＬ２１〜Ｌ２４，Ｒ２１，Ｒ２２は、上記測定センサ１２００と同様の構成を有している。
ここで、縦方向とは足の長さ方向をいい、横方向とは縦方向と直交する方向をいう。
各測定センサＬ２１〜Ｌ２４，Ｒ２１，Ｒ２２は、互いに直接電気的に接続されておらず、各測定センサ個々の静電容量の値が検出部１４に独立して入力される。
【０１１０】
図１３に示すように、縦方向に配置されている測定センサＲ２１，Ｒ２２は、帯状の測定センサ１２００である。
図の例では、測定センサＲ２１はタイツ状のサイズ測定装置１０のウエスト周り部分に相当する上端から裾部分（足首部分）に相当する下端まで配置される。
測定センサＲ２２は、股上に相当する位置に配置される。
図１３は正面図であるが、背面も同様に縦方向に配置されている。
【０１１１】
また、図１４に示すように、横方向に配置されている測定センサＬ２１は、帯状の測定センサ１２００の長さ方向の両端が接続されてリング状に構成されており、タイツ状のサイズ測定装置１０のウエスト周りを正面側から背面側にかけて連続して１周巻回するように本体部１に取り付けられている。
また、同様に、その他の横方向に配置された各測定センサＬ２２〜Ｌ２４も、測定センサ１２００がリング状に構成されており、タイツ形状のサイズ測定装置１０の各部位を連続して１周巻回するように本体部１に取り付けられている。
測定センサＬ２２はヒップ周りに、測定センサＬ２３は太腿周りに、測定センサＬ２４はふくらはぎ周りにそれぞれ配置されている。
【０１１２】
各測定センサＬ２１〜Ｌ２４，Ｒ２１，Ｒ２２は、サイズ測定装置１０の表面に露出するように取り付けられていてもよいし、裏面に取り付けられてもよい。また、本体部１が複数の繊維層により構成される場合には、その繊維間に挟まれるように取り付けられてもよい。
【０１１３】
なお、本図には表れていないが、各測定センサＬ２１〜Ｌ２４，Ｒ２１，Ｒ２２は配線を介して検出部１４に接続されており、制御部１１は、上述の方法と同様の方法により、各測定センサＬ２１〜Ｌ２４，Ｒ２１，Ｒ２２における静電容量の値を算定する。
【０１１４】
ユーザがタイツ状のサイズ測定装置１０を履くと、本体部１とともに、各測定センサＬ２１〜Ｌ２４，Ｒ２１，Ｒ２２も同様に、伸長し、サイズ測定装置１０を着用したユーザのサイズに合わせて伸長する。
伸長した際に、各測定センサＬ２１〜Ｌ２４，Ｒ２１，Ｒ２２の静電容量を計測することにより、ユーザの足の長さやウエスト周りなどの長さを測定することができるようになっている。
【０１１５】
〔３〕第２の実施の形態のまとめ
以上説明したように、本発明の第２の実施の形態におけるサイズ測定システムは、アパレル系商品を購入する際に参考にする部分（ウエスト、ヒップ等）のサイズを測定可能な位置に測定センサが配置されているので、簡易な構成でアパレル系商品購入の際の選定が容易となる。
【０１１６】
本実施の形態では、サイズ測定装置１０はタイツ形状であったが、これに限定されず、例えば、第１の実施の形態の変形例２と同様に、シャツ又は帽子等の他の形状であってもよい。
このシャツ又は帽子等の他の形状の場合も、タイツ形状の場合と同様に、測定センサは、身体又は衣服の代表的な寸法に該当する任意の位置に配置される。
また、本実施の形態では、ウエスト及びヒップ周り等に測定センサが配置されていたが、任意の部分に設置されるものであればこれに限定されない。
例えば、通常計測される身体又は衣服の寸法としては、首周り、肩幅、胸囲、アンダーバスト、腕周り、手首周り、腕長さ、身丈、頚椎から膝までの長さ、ウエスト、ヒップ、太腿周り、ふくらはぎ周り、足首周り、股下、足長さ等がある。
【０１１７】
また、測定変換ＤＢは、ユーザ端末２０又は管理サーバ３０のいずれで管理されてもよい。
測定センサは、静電容量の値を測定するものであってもよいし、電気抵抗値又はその他の電気的特性を測定するものであってもよい。
【０１１８】
＜第３の実施の形態＞
〔１〕第３の実施の形態の概要
第１，第２の実施の形態では、測定センサは、電極及び誘電膜等がその配置される方向に応じて帯状又はリング状に形成され、ウエスト周り等に巻回されて配置されていた。
これに対し、本発明の第３の実施の形態では、その測定センサにおける帯状又はリング状の一部が非伸縮性素材で構成される。
以下、特記しない限り、本実施の形態は、第１の実施の形態と同様であるものとして説明を進める。
【０１１９】
〔２〕第３の実施の形態の構成
（１）サイズ測定装置１０の構成
（測定センサの構成）
図１５は、本発明の第３の実施の形態におけるサイズ測定装置１０の外観を示す正面図である。
図に示すように、サイズ測定装置１０は、伸縮可能な素材によりタイツ形状を形成する本体部１と、ユーザの身体のサイズ及び形状の測定処理等を実行する測定処理部４とを有して構成される。
測定処理部４の測定部５は、測定センサに加え、後述する非伸縮部を有する。
【０１２０】
（測定センサの配置例）
上述のとおり、サイズ測定装置１０の本体部１には伸縮型の測定センサ１２００が設けられる。
図１６は、図１５の正面図のＣ−Ｃ線におけるサイズ測定装置１０の断面平面図であり、図１７は、図１５の正面図のＤ−Ｄ線におけるサイズ測定装置１０の断面平面図である。
以下、図１５〜１７を用いて、サイズ測定装置１０における測定センサ１２００の配置及び作用動作について説明する。
【０１２１】
図１５〜１７に示す例では、サイズ測定装置１０の本体部１には、測定センサＬ３１〜Ｌ３６，Ｒ３１，Ｒ３２が所定又は任意の間隔で複数縦横に略直交して配置されている。
各測定センサＬ３１〜Ｌ３６，Ｒ３１，Ｒ３２は、上記測定センサ１２００と同様の構成を有している。
ここで、縦方向とは足の長さ方向をいい、横方向とは縦方向と直交する方向をいう。
各測定センサＬ３１〜Ｌ３６，Ｒ３１，Ｒ３２は、互いに直接電気的に接続されておらず、各測定センサ個々の静電容量の値が検出部１４に独立して入力される。
【０１２２】
また、図１５〜１７に示すように、本体部１には、各測定センサＬ３１〜Ｌ３６，Ｒ３１，Ｒ３２に加え、非伸縮性の素材で構成される非伸縮部Ｍ１〜Ｍ３が設けられる。
【０１２３】
非伸縮部Ｍ１は帯状に形成され、本体部１の正面側の右端から背面側をまわって正面側の左端まで連続して巻回されて配置されている。
非伸縮部Ｍ１の帯長さ方向（巻回方向、横方向）の両端は、測定センサＬ３１，Ｌ３２の巻回方向の両端に接続されている。
非伸縮部Ｍ１の帯長さ方向の端部の一部は、腿部分の外側左右両端から背面側をまわってそれぞれ左右の股内側まで連続して巻回されて配置されている。当該非伸縮部Ｍ１の右腿外側端部及び右股内側端部は測定センサＬ３３の横方向の両端に接続されている。また、非伸縮部Ｍ１の左腿外側端部及び左股内側端部は測定センサＬ３４の横方向の両端に接続されている。
さらに、非伸縮部Ｍ１の帯幅方向（帯長さ方向と直交する方向、縦方向）の下端は測定センサＲ３１，Ｒ３２の上端に接続されている。
【０１２４】
非伸縮部Ｍ２は帯状に形成され、本体部１の正面側の右足部分の右端から背面側をまわって正面側の左端まで連続して巻回されて配置されている。
非伸縮部Ｍ２の帯長さ方向（巻回方向、横方向）の両端は、測定センサＬ３５の巻回方向の両端に接続されている。
また、非伸縮部Ｍ２の帯幅方向（足長さ方向）の上端は、測定センサＲ３１の下端に接続されている。
【０１２５】
非伸縮部Ｍ３は帯状に形成され、本体部１の正面側の左足部分の右端から背面側をまわって正面側の左端まで連続して巻回されて配置されている。
非伸縮部Ｍ３の帯長さ方向（巻回方向、横方向）の両端は、測定センサＬ３６の巻回方向の両端に接続されている。
また、非伸縮部Ｍ３の帯幅方向（足長さ方向）の上端は、測定センサＲ３２の下端に接続されている。
【０１２６】
図１５〜１７に示すように、縦方向に配置されている測定センサＲ３１，Ｒ３２は、帯状の測定センサ１２００である。
図の例では、測定センサＲ３１，Ｒ３２はタイツ状のサイズ測定装置１０の膝部分に相当する部分に配置されている。
上述のように、帯状の測定センサＲ３１，Ｒ３２の上端は非伸縮部Ｍ１の下端に接続されており、下端は非伸縮部Ｍ２，Ｍ３の上端にそれぞれ接続されている。
このように、縦方向の一部が非伸縮部Ｍ１〜Ｍ３で構成されているため、ユーザがサイズ測定装置１０をタイツを履くように下半身に装着したとき、ユーザの足の長さに応じて縦方向に測定センサＲ３１，Ｒ３２の部分のみが伸長し、ユーザの身体サイズの測定が行われる。
【０１２７】
また、図１５〜１７に示すように、横方向に配置されている測定センサＬ３１〜Ｌ３６は、帯状の測定センサ１２００である。
図の例では、測定センサＬ３１，Ｌ３２はタイツ状のサイズ測定装置１０のウエスト周りの一部、ヒップ周りの一部にそれぞれ相当する部分に配置されている。測定センサＬ３３，Ｌ３４はそれぞれ右左腿周りの一部に相当する部分に配置されている。測定センサＬ３５，Ｌ３６はそれぞれ右左脛周りの一部に相当する部分に配置されている。
上述のように、帯状の測定センサＬ３１〜Ｌ３４の左右両端は非伸縮部Ｍ１の左右両端に接続されており、帯状の測定センサＬ３５，Ｌ３６の左右両端は非伸縮部Ｍ２，Ｍ３の左右両端にそれぞれ接続されている。
このように、横方向の一部が非伸縮部Ｍ１〜Ｍ３で構成されているため、ユーザがサイズ測定装置１０をタイツを履くように下半身に装着したとき、ユーザのウエストやヒップ等のサイズに応じて横方向（ウエスト等の周方向）に測定センサＬ３１〜Ｌ３６の部分のみが伸長し、ユーザの身体サイズの測定が行われる。
【０１２８】
各測定センサＬ３１〜Ｌ３６，Ｒ３１，Ｒ３２は、サイズ測定装置１０の表面に露出するように取り付けられていてもよいし、裏面に取り付けられてもよい。また、本体部１が複数の繊維層により構成される場合には、その繊維間に挟まれるように取り付けられてもよい。
【０１２９】
なお、本図には表れていないが、各測定センサＬ３１〜Ｌ３６，Ｒ３１，Ｒ３２は配線を介して検出部１４に接続されており、制御部１１は、上述の方法と同様の方法により、各測定センサＬ３１〜Ｌ３６，Ｒ３１，Ｒ３２における静電容量の値を算定する。
【０１３０】
ユーザがタイツ状のサイズ測定装置１０を履くと、本体部１とともに、各測定センサＬ３１〜Ｌ３６，Ｒ３１，Ｒ３２も同様に、伸長し、サイズ測定装置１０を着用したユーザのサイズに合わせて伸長する。
伸長した際に、各測定センサＬ３１〜Ｌ３６，Ｒ３１，Ｒ３２の静電容量を計測することにより、ユーザの足の長さやウエスト周りなどの長さを測定することができるようになっている。
【０１３１】
〔３〕第３の実施の形態のまとめ
以上説明したように、本発明の第３の実施の形態におけるサイズ測定システムは、伸縮可能な測定センサの一部を比較的安価な非伸縮性の素材（布素材、繊維）からなる非伸縮部で置き換えて構成しているので、サイズ測定装置１０の製造コストを大幅に削減することが可能となる。
また、測定センサの一部を非伸縮性の素材で構成することにより、サイズ測定装置１０の本体部１の強度を一定以上確保することができ、型崩れの発生等を防止することが可能となる。
【０１３２】
本実施の形態では、ウエスト及びヒップ周り等に測定センサが配置されていたが、配置される位置についてはこれに限定されず、例えば、第１又は第２の実施の形態における測定センサの一部を非伸縮部に置き換えた構成であってもよい。
【０１３３】
本実施の形態では、サイズ測定装置１０はタイツ形状であったが、これに限定されず、例えば、シャツ又は帽子等の他の形状であってもよい。
また、測定変換ＤＢは、ユーザ端末２０又は管理サーバ３０のいずれで管理されてもよい。
測定センサは、静電容量の値を測定するものであってもよいし、電気抵抗値又はその他の電気的特性を測定するものであってもよい。
【０１３４】
＜実施の形態のまとめ＞
以上説明したように、本発明の第１の実施の形態におけるサイズ測定システムによれば、ユーザは例えばタイツやシャツ等を着用するようにサイズ測定装置１０を身体に装着するだけで、測定センサの特性変化（静電容量又は抵抗値の変化量等）に基づいて、身体のサイズ及び形状を特定でき、身体に合ったアパレル系商品を容易に検索することが可能となる。
【０１３５】
上記のサイズ測定装置１０、ユーザ端末２０及び管理サーバ３０は、主にＣＰＵとメモリにロードされたプログラムによって実現される。ただし、それ以外の任意のハードウェアおよびソフトウェアの組合せによってこの装置またはサーバを構成することも可能であり、その設計自由度の高さは当業者には容易に理解されるところである。
また、上記のサイズ測定装置１０、ユーザ端末２０又は管理サーバ３０をソフトウェアモジュール群として構成する場合、このプログラムは、光記録媒体、磁気記録媒体、光磁気記録媒体、または半導体等の記録媒体に記録され、上記の記録媒体からロードされるようにしてもよいし、所定のネットワークを介して接続されている外部機器からロードされるようにしてもよい。
【０１３６】
なお、上記の実施の形態は本発明の好適な実施の一例であり、本発明の実施の形態は、これに限定されるものではなく、本発明の要旨を逸脱しない範囲において種々変形して実施することが可能となる。
例えば、第１の実施の形態における測定センサは静電容量に基づいて、第１の実施の形態の変形例３における測定センサは抵抗値に基づいて、ユーザの身体の形状及びサイズを特定したが、他の電気的特性の変化に基づいて特定するようにしてもよい。
また、測定センサによる静電容量又は抵抗値の測定するための構成についても、本明細書に記載されていない公知のあらゆる技術についても適用することができる。
【０１３７】
また、上記の実施の形態では、ユーザがユーザ端末２０を操作することにより、測定を開始していたが、ユーザがサイズ測定装置１０に設けられている所定のスイッチ等を操作することにより、測定を開始するように構成してもよい。
【０１３８】
また、上記の実施の形態においては、管理サーバ３０は、ユーザ端末２０を介してセンサ測定情報をサイズ測定装置１０から受信していたが、ユーザ端末２０を介することなく、有線／無線通信網（例えばＷｉ−Ｆｉ、インターネット又は３Ｇ回線等）を介してサイズ測定装置１０から直接受信するよう構成してもよい。
【０１３９】
また、以上説明した各実施形態（変形例も含む）については、直接的に記載されていない組み合わせであっても、適宜組み合わされて実施の形態が形成されうる。
【符号の説明】
【０１４０】
１    本体部
４    測定処理部
１０    サイズ測定装置
１１，２１，３１    制御部
１２，２２，３２    情報格納部
１３，２３，３３    通信部
１４    検出部
１５    測定部
２０    ユーザ端末
２４    表示部
２５    操作部
３０    管理サーバ
１００    基材
３２１    センサ測定ＤＢ
３２２    測定変換ＤＢ
３２３    ユーザ測定ＤＢ
３２４    商品ＤＢ
１２００，Ｌ１〜Ｌ１２，Ｌ２１〜Ｌ２４，Ｌ３１〜Ｌ３６，Ｒ１〜Ｒ５，Ｒ２１，Ｒ２２，Ｒ３１，Ｒ３２    測定センサ
１２０１    誘電膜
１２０２，１２０３    電極
Ｍ１〜Ｍ３    非伸縮部
【図１】
2018141717.tif 000003
【図２】
2018141717.tif 000004
【図３】
2018141717.tif 000005
【図４】
2018141717.tif 000006
【図５】
2018141717.tif 000007
【図６】
2018141717.tif 000008
【図７】
2018141717.tif 000009
【図８】
2018141717.tif 000010
【図９】
2018141717.tif 000011
【図１０】
2018141717.tif 000012
【図１１】
2018141717.tif 000013
【図１２】
2018141717.tif 000014
【図１３】
2018141717.tif 000015
【図１４】
2018141717.tif 000016
【図１５】
2018141717.tif 000017
【図１６】
2018141717.tif 000018
【図１７】
2018141717.tif 000019